(57)【要約】      （修正有）【課題】簡単に反転することにより好みの色や柄の慶事用及び弔事用のいずれにも変更して使用することができるリバーシブルな袱紗を提供する。【解決手段】袱紗本体１０１とその一側に開閉蓋１０２を連結形成して、二つに縦折り可能にした袱紗１００において、両面を金子台１１１，１１２とする袱紗本体１０１と開閉蓋１０２の一方の面に慶事用の色及び／又は柄面Ｇ１を施すと共に、他方の面に弔事用の色及び／又は柄面Ｇ２を施し、袱紗本体１０１と開閉蓋１０２の側部各々に開口部Ｐ０１、Ｐ０２を平行に対向し裏返し可能にしたポケットＰ１、Ｐ２を設け、両ポケットＰ１、Ｐ２は裏返して袱紗本体１０１の一方の面と対面する面を袱紗本体１０１の一方の面と同系色の慶事用の色及び／又は柄面を施すと共に、裏返して袱紗本体１０１の他方の面と対面する面を袱紗本体１０１の他方の面と同じ弔事用の色及び／又は柄面を施し、両ポケットＰ１、Ｐ２の内部と袱紗本体１０１と開閉蓋１０２に亘って交換可能に配置される。【選択図】図１
0003212171.tif 000002
【実用新案登録請求の範囲】
【請求項１】
袱紗本体（１０１）とその一側に開閉蓋（１０２）を連結形成して、これらを二つに縦折り可能にした袱紗（１００）において、両面を金子台（１１１，１１２）とする袱紗本体（１０１）と開閉蓋（１０２）の一方の面に慶事用の色及び／又は柄面（Ｇ１）を施すと共に、他方の面に弔事用の色及び／又は柄面（Ｇ２）を施し、前記袱紗本体（１０１）と開閉蓋（１０２）の側部各々に開口部（Ｐ０１、Ｐ０２）を平行に対向し裏返し可能にしたポケット（Ｐ１）、（Ｐ２）を設け、前記両ポケット（Ｐ１）、（Ｐ２）は裏返して前記袱紗本体（１００）の前記一方の面と対面する面を前記袱紗本体（１００）の一方の面と同系色の慶事用の色及び／又は柄面を施すと共に、裏返して前記袱紗本体（１００）の他方の面と対面する面を前記袱紗本体（１００）の他方の面と同じ弔事用の色及び／又は柄面を施し、前記両ポケット（Ｐ１）、（Ｐ２）の内部とその間の袱紗本体（１０１）と開閉蓋（１０２）に亘って交換可能に配置される台紙であって両面の一方に慶事用の薄色を他方に弔事用の薄色にした単体の台紙を具備し、又は慶事用の薄色の台紙と弔事用の薄色の台紙の両方を具備したことを特徴とする袱紗。
【考案の詳細な説明】
【技術分野】
【０００１】  本考案は、簡単な操作により好みの色や柄の慶事用及び弔事用のいずれにも共用可能にしたリバーシブル（ｒｅｖｅｒｓｉｂｌｅ）な袱紗に関するものである。
【背景技術】
【０００２】  袱紗は、元来，柔らかな手触りのよいことを指し，《日葡辞書》では〈袱紗物〉〈袱紗絹〉などとともに〈袱紗な人〉（物柔らかで人あたりのよい人）の用例もある。
その上で、袱紗は、元々貴重品などが収蔵された箱上に掛けられ、服紗小袖，袱紗帯のごとく柔らかな絹布製の風呂敷であった。【０００３】  その風呂敷が贈答品を運ぶ時の汚れや日焼け防止として用いられるようになり１枚の布地から裏地付きの絹製で四方に亀房と呼ばれる房付きのものに変わり、慶弔行事の数珠納め、金品を贈る時の儀礼や心遣いとして広ふた（黒塗りの盆）と併せて用いられるようになった。【０００４】  また一般に茶の湯では方形の縮緬や絹布を言う。袱紗に関する背景はこのようであるが、現在は、台・爪付の小型の風呂敷タイプの他に、特許文献１に記載のような２つ折りや三つ折りタイプの金封袱紗、左開きの弔事（お悔やみ）袱紗、右開きの慶事（お祝い）袱紗やお見舞袱紗が多く市販され利用されている。【０００５】  因みに、風呂敷タイプ袱紗の場合、数珠や熨斗袋（筒）を包む場合は結婚式などの慶事には右前に包み、葬儀など弔事には左前に包む。
祝儀袋（筒）の包み方は祝儀袋（筒）を中心より少し左の方へ寄せておき左側を中に折り込み上側をたたみ、次に下側をたたみ右側を折り裏へ折り返す。不祝儀袋（筒）の包み方は、不祝儀袋（筒）を中心より少し右の方へ寄せておき右側を中に折り込み下側をたたみ、次に上側をたたみ左側を折り裏へ折り返す。袱紗の用途と色様々な色のものがあり、暖色系の明るい色は慶事用、寒色系の沈んだ色は弔事用、紫色はどちらにも使える。
従って、紫色以外の色の無地又は柄の袱紗は、一般に慶事用か弔事用に限られる風習である。
【考案の開示】
【考案が解決しようとする課題】
【０００６】  本考案は、慶事用専用と弔事用専用を別々に用意することなく、簡単に反転することにより好みの色や柄の慶事用と弔事用に変更することができるリバーシブル（ｒｅｖｅｒｓｉｂｌｅ）な袱紗を提供する。
【課題を解決するための手段】
【０００７】  上記課題を満足させる本考案の主な技術構成は、次の（１）の通りである。
（１）、袱紗本体（１０１）とその一側に開閉蓋（１０２）を連結形成して、これらを二つに縦折り可能にした袱紗（１００）において、両面を金子台（１１１，１１２）とする袱紗本体（１０１）と開閉蓋（１０２）の一方の面に慶事用の色及び／又は柄面（Ｇ１）を施すと共に、他方の面に弔事用の色及び／又は柄面（Ｇ２）を施し、前記袱紗本体（１０１）と開閉蓋（１０２）の側部各々に開口部（Ｐ０１、Ｐ０２）を平行に対向し裏返し可能にしたポケット（Ｐ１）、（Ｐ２）を設け、前記両ポケット（Ｐ１）、（Ｐ２）は裏返して前記袱紗本体（１００）の前記一方の面と対面する面を前記袱紗本体（１００）の一方の面と同系色の慶事用の色及び／又は柄面を施すと共に、裏返して前記袱紗本体（１００）の他方の面と対面する面を前記袱紗本体（１００）の他方の面と同じ弔事用の色及び／又は柄面を施し、前記両ポケット（Ｐ１）、（Ｐ２）の内部とその間の袱紗本体（１０１）と開閉蓋（１０２）に亘って交換可能に配置される台紙であって両面の一方に慶事用の薄色を他方に弔事用の薄色にした単体の台紙を具備し、又は慶事用の薄色の台紙と弔事用の薄色の台紙の両方を具備したことを特徴とする袱紗。【０００８】  本考案前記袱紗（１００）の袱紗本体（１０１）、開閉蓋（１０２）及びポケット（Ｐ１、Ｐ２）において、慶事用（お祝い事を含む）の色とは、赤、オレンジ、藤、桃、えんじ、金、ローズ、紫等の暖色系の明るい色を言う。【０００９】  本考案前記袱紗（１００）の袱紗本体（１０１）、開閉蓋（１０２）及びポケット（Ｐ１、Ｐ２）において、弔事用（お悔み事を含む）の色とは、紺、深緑、灰緑、緑、うぐいす、灰青、グレー、紫等の寒色系の沈んだ色を言う。【００１０】  本考案の前記袱紗（１００）の袱紗本体（１０１）、開閉蓋（１０２）及びポケット（Ｐ１、Ｐ２）において、慶事用の柄面とは前記慶事用（お祝い事を含む）の色の単色又は組み合わせにより織った或いは描いた又は刺繍の模様、鳥、花、蝶柄等を言う。【００１１】  本考案の前記袱紗（１００）の袱紗本体（１０１）、開閉蓋（１０２）及びポケット（Ｐ１、Ｐ２）において、弔事用の色及び柄面とは、前記弔事用（お祝い事を含む）の色の単色又は複数色の組み合わせにより織った或いは描いた又は刺繍の模様、鳥、花等を言う。【００１２】  本考案の前記袱紗（１００）において、前記ポケット及び袱紗本体の少なくとも該ポケットを配置する部位はポケットの裏返しを可能にする柔軟性のある材質で構成すると好ましい。【００１３】  本考案の前記袱紗（１００）において、前記台紙の慶事用色は、白色の他に暖色系の薄色が好ましく、弔事用色は、白色の他に寒色系の薄色にすることが好ましい。
【考案の効果】
【００１４】  本考案の前記袱紗（１００）は、前記構成により、前記両ポケットを裏返すのみにより慶事用と弔事用に反転表示可能にしたため、一つの袱紗で好みの色や柄の慶事用及び弔事用のいずれにも変更することができる極めて利便性の高くかつ優れたリバーシブルな袱紗である。
【図面の簡単な説明】
【００１５】
【図１】本考案の二つに縦折り可能にした袱紗の実施例１を示し、弔事用の構成図（４）の状態から両ポケット（Ｐ１）、（Ｐ２）を裏返しして慶事用に開いた一方の面側を示す構成図（１）と、この構成図（１）の他方の面側を示す構成図（２）と、構成図（２）の状態から両ポケット（Ｐ１）、（Ｐ２）を裏返しして弔事用に開いた他方の面側を示す構成図（３）とこの構成図（３）の他方の面側を示す構成図（４）である。
【図２】図１の（２）の状態から慶事用の台紙を敷いた状態（１）と、慶事用の金子Ｋ１をポケットＰ１に差し込んで収めた状態（２）と、この後二つ折りにした状態（３）を各々示す平面図である。
【図３】図１の（４）の状態から弔事用の台紙を敷いた状態（１）と、弔事用の金子Ｋ２をポケットＰ１に差し込んで収めた状態（２）と、この後二つ折りにした状態（３）を各々示す平面図である。
【図４】図２の（３）の矢視Ａ−Ａから見た慶事用の袱紗の鳥瞰図（１）と、図３の（３）の矢視Ｂ−Ｂから見た弔事用の袱紗の鳥瞰図（２）を示し、それぞれ当該金子を省略してある。
【考案を実施するための形態】
【００１６】  考案を実施するための形態を、図１〜図３に示す慶事用と弔事用を共用可能にした二つ折りの袱紗の実施例１にて詳細に紹介する。
【実施例１】
【００１７】  図１において、本例の袱紗１００は、一方の面を慶事用の金子台１１１とし、他方の面を弔事用の金子台１１２とした袱紗本体（１０１）と、その一側に開閉蓋（１０２）を連結形成して両面側に開閉自在にしてなり、図４に示すように二つ縦折りを可能にしたものである。【００１８】  更に、袱紗１００は、一方の面（以下便宜上表面又は表面側と称する）における袱紗本体（１０１）の金子台１１１と開閉蓋１０２の面に慶事用の色及び／又は柄面（総してＧ１と称する）を施し、他方の面（以下便宜上裏面又は裏面側と称する）における袱紗本体（１０１）の金子台１１２と開閉蓋１０２の面に弔事用の色及び／又は柄面（総してＧ２と称する）を施してある。【００１９】  袱紗１００は、袱紗本体（１０１）と開閉蓋１０２の各側部に、裏返し可能にしたポケットＰ１、Ｐ２を形成してある。この両ポケットＰ１、Ｐ２はその表面を前記袱紗本体１００の表面側と同色系の慶事用の色及び／又は柄面Ｇ１を施すと共に、裏面を前記袱紗本体１００の裏面側と同色系の弔事用の色及び／又は柄面Ｇ２を施してある。【００２０】  図１に示す袱紗１００は、弔事用の構成図（４）の状態から両ポケット（Ｐ１）、（Ｐ２）を裏返しして慶事用に開いた表面側を示す構成図（１）と、この構成図（１）を上下位置を変えずに横に反転した裏面側を示す構成図（２）と、構成図（２）の状態から両ポケット（Ｐ１）、（Ｐ２）を裏返しして弔事用に開いた裏面側を示す構成図（３）と、この構成図（３）を上下位置を変えずに横に反転した裏面側を示す構成図（４）から明らかなように慶事・弔事両用のリバーシブルな袱紗である。【００２１】  図２（１）には慶事用に裏面側を開いた袱紗１００を示すが、この際、金子台１１２が、弔事用に表れているため、ポケットＰ１、から弔事用の金子台１１２を経てポケットＰ２内に亘る慶事用の台紙１１３を敷いて相手様に弔事用の金子台１１２が見えないようにマスキングしてご無礼の無いようにする。
この上で、図２（２）に示すようにポケットＰ１に慶事用の金子Ｋ１を差し込み、この後、図２（３）に示すように開閉蓋１０２を閉めて操作を完了する。【００２２】  図３（１）には弔事用に表面側を開いた袱紗１００を示すが、この際、金子台１１１は、慶事用に表れているため、ポケットＰ１、から慶事用の金子台１１１を経てポケットＰ２内に亘る弔事用の台紙１１４を敷いて相手様に弔事用の金子台１１１が見えないようにマスキングしてご無礼の無いようにする。
この上で、図３（２）に示すようにポケットＰ１に弔事用の金子Ｋ２を差し込み、この後、図３（３）に示すように開閉蓋１０２を閉めて操作を完了する。【００２３】  前記台紙１１３、１１４は、一枚の台紙の両面の一方に慶事用の色を他方に弔事用の色にした単体の台紙を具備したものでよく、又は慶事用の色の台紙と弔事用の色の台紙の両方を別々に具備したものでもよい。【００２４】  このように本例の袱紗１００は、前記両ポケットＰ１、Ｐ２を裏返したり戻したりすることと二つ折り方向を変更することのみで慶事用袱紗と弔事用袱紗に早変わりする便利なリバーシブル（ｒｅｖｅｒｓｉｂｌｅ）袱紗である。
【産業上の利用可能性】
【００２５】  本考案は、前述の優れた作用効果を呈する為、慶弔袱紗を利用する一般社会人はもとより、慶弔袱紗の製造・販売業界に貢献すること多大なものがある。
【符号の説明】
【００２６】１００：袱紗
１０１袱紗本体
１０２：開閉蓋
１１１：慶事用の金子台
１１２：弔事用の金子台
Ｇ１：慶事用の色及び／又は柄面
Ｇ２：弔事用の色及び／又は柄面
Ｐ１、Ｐ２：ポケット
１１３：慶事用の台紙
１１４：弔事用の台紙
Ｋ１：慶事用の金子
Ｋ２：弔事用の金子
Ｐ０１、Ｐ０２：ポケットの開口部
【図１】
0003212171.tif 000003
【図２】
0003212171.tif 000004
【図３】
0003212171.tif 000005
【図４】
0003212171.tif 000006